【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  伸縮式ノズル装置及び熱交換器等の付随機器を上ケース及び下ケースの内部に内装した局部洗浄装置において、前記ノズル装置以外の付随機器の嵩を前記ノズル装置の嵩と略同等若しくはそれ以下としたことを特徴とする局部洗浄装置。
【請求項２】  請求項１記載の局部洗浄装置において、前記上ケース前方に傾斜部を設け、該傾斜部に連続し且つ中央を隆起させて便座・便蓋支持部とし、該便座・便蓋支持部の左右には前記傾斜部に連続し且つ便座、便蓋のヒンジ部の回動空間となる傾斜凹部を形成したことを特徴とする局部洗浄装置。
【請求項３】  請求項２記載の局部洗浄装置において、前記傾斜部の傾斜角は前記ノズル装置のノズルの伸出角度と略同一としたことを特徴とする局部洗浄装置。
【請求項４】  請求項２記載の局部洗浄装置において、前記便座・便蓋支持部の内部空間を前記付随機器収納空間として利用したことを特徴とする局部洗浄装置。
【請求項５】  請求項２記載の局部洗浄装置において、前記便座・便蓋支持部には運転状態等を示す表示部を備えたことを特徴とする局部洗浄装置。
【請求項６】  請求項１記載の局部洗浄装置において、前記上ケースの前面側及び背面側に設けた係合爪と、前記下ケースの前面側及び背面側に設けた係合突部との各々の弾性係合により上ケースと下ケースを連接したことを特徴とする局部洗浄装置。
【請求項７】  装置本体と分離されたリモコンにより種々の操作を行うことができる局部洗浄装置において、便器の後端上部に配置されて便座及び便蓋を備えた装置本体の内部に、使用者の局部に洗浄水を噴射するノズル装置と、ノズル装置に供給される洗浄水を流水状態にて所定温度に加熱する瞬間式熱交換ユニットと、流量を定める流調ユニットと、を内蔵すると共に前記装置本体の最高高さ位置を、便蓋の倒伏状態での便蓋の最高高さ位置よりも低くしたことを特徴とする局部洗浄装置。
【請求項８】  請求項７の局部洗浄装置において、前記装置本体の嵩を約１２０ｍｍとしたことを特徴とする局部洗浄装置。
【手続補正２】
【補正対象書類名】明細書
【補正対象項目名】０００９
【補正方法】変更
【補正の内容】
【０００９】
【課題を解決するための手段及び作用及び効果】
上記課題を解決する為に、請求項１記載の発明においては、伸縮式ノズル装置及び熱交換器等の付随機器を上ケース及び下ケースの内部に内装した局部洗浄装置において、前記ノズル装置以外の付随機器の嵩を前記ノズル装置の嵩と略同等若しくはそれ以下とすることで、装置本体を極限まで小さくすることができ、購入商品を消費者は小脇に抱えて持ち帰ることができ、自ら簡単に設置することが可能となり、施工費用等を削減することができる。また、梱包部材を削減でき、ごみを少なくすることができる。更に、コンパクトな為に運搬費も削減でき、消費者に安い価格で提供することが可能となる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２記載の発明においては、請求項１記載の発明に加え、前記上ケース前方に傾斜部を設け、該傾斜部に連続し且つ中央を隆起して便座・便蓋支持部し、該便座・便蓋支持部左右には前記傾斜部に連続し且つ便座、便蓋のヒンジ部の回動空間とした傾斜凹部を形成したことで、便座、便蓋のヒンジ部により使えなくなっていた収納空間を可能な限り小さくする共に、前記傾斜部を便座との重合面として利用でき、座面を広く確保することができ、小さくなったにも関わらず、使用感を落とすことが無い。
【手続補正５】
【補正対象書類名】明細書
【補正対象項目名】００１２
【補正方法】変更
【補正の内容】
【００１２】
請求項３記載の発明においては、請求項２記載の発明に加え、前記傾斜部の傾斜角を前記ノズル装置のノズルの伸出角度と略同一としたことで、無駄な空間を生むことが無く、また、傾斜部の下部空間を空洞とはしていないので強度的にも強いものとすることができる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項４の発明においては、請求項２記載の発明に加え、前記便座・便蓋支持部の内部空間を前記付随機器収納空間として利用したので、貴重な収納スペースを確保することができる。
【手続補正１０】
【補正対象書類名】明細書
【補正対象項目名】００１７
【補正方法】変更
【補正の内容】
【００１７】
請求項５の発明においては、請求項２記載の発明に加え、前記便座・便蓋支持部には運転状態等を示す表示部を備えたので、便座、便蓋開放状態／倒伏状態の何れにおいても局部洗浄装置が運転状態にあるかを確認することができ、使用者に安心感を与えることができる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
請求項６の発明においては、請求項１記載の発明に加え、前記上ケースの前面側及び背面側に設けた係合爪と、前記下ケースの前面側及び背面側に設けた係合突部との各々の弾性係合により上ケースと下ケースを連接したので、外観に連結ネジの頭が見えることがなく、外観を損ねることが無い。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】変更
【補正の内容】
【００４４】
請求項７の発明においては、装置本体と分離されたリモコンにより種々の操作を行うことができる局部洗浄装置において、便器の後端上部に配置されて便座及び便蓋を備えた装置本体の内部に、使用者の局部に洗浄水を噴射するノズル装置と、ノズル装置に供給される洗浄水を流水状態にて所定温度に加熱する瞬間式熱交換ユニットと、流量を定める流調ユニットと、を内蔵すると共に前記装置本体の最高高さ位置を、便蓋の倒伏状態での便蓋の最高高さ位置よりも低くしたので、種々の機能が詰まった高機能型の局部洗浄装置であっても、装置をコンパクトすることができた。
【手続補正３８】
【補正対象書類名】明細書
【補正対象項目名】００４５
【補正方法】変更
【補正の内容】
【００４５】
さらに、請求項８の発明においては、請求項７の局部洗浄装置に加え、前記装置本体の嵩を約１２０ｍｍとしたので、装置を片手で持ちやすくなり、取付け工事の際の取り扱いが簡単となる。
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】削除
【補正の内容】
【手続補正６６】
【補正対象書類名】明細書
【補正対象項目名】００７３
【補正方法】削除
【補正の内容】
【手続補正６７】
【補正対象書類名】明細書
【補正対象項目名】００７８
【補正方法】変更
【補正の内容】
【００７８】
下ケース３５の両側方部３５ａは底面側に向けて傾斜させており、その右傾斜部には、便座コード取出口３5ｂ、電源コード取出口３５ｃ、傾斜部から側方に突出する突出部３５ｄを設け、左傾斜部には便器自動洗浄ユニット等のオプション機器への電力及び信号を供給する為のオプション用コード取出口３５ｅを設ける。なお、突出部３５ｄ下方は切り欠いており、側方には給水接続口３５ｆ及び水抜き栓用開口３５ｇを設ける。上ケース３１，下ケース３５の他の部位は夫々の内装機器を説明する際に合わせて説明する。
【手続補正６８】
【補正対象書類名】明細書
【補正対象項目名】００８７
【補正方法】変更
【補正の内容】
【００８７】
（内装機器の構成の説明）
図２３（ａ）は上ケース３１を取り外した状態の装置本体３の斜視図、図２３（ｂ）は更に制御ユニットを取り外した斜視図、図２４は各ユニットを取り外した分解斜視図である。図において、６０はバルブユニット、７０は熱交換ユニット、９０は流調、脈動ユニット、１１０はノズルユニット、１３０は乾燥、脱臭ユニット、１５０は補助操作ユニット、１６０は第１制御ユニット、１７０は第２制御ユニットである。
【手続補正６９】
【補正対象書類名】明細書
【補正対象項目名】０１１２
【補正方法】変更
【補正の内容】
【０１１２】
乾燥ヒータ１３４は、マイカ等の耐熱性を有する２個の支持板１３４ａ、１３４ｂを対称線部分に形成したスリットを相互に噛み合わせて接合し、それらの長手方向一端を固定金具１３４ｃを用いて挟持一体化して横断面Ｘ字形状となる主体１３４ｄを構成し、この主体１３４ｄの周部となる各支持体１３４ａ、１３４ｂの稜線部分に等間隔で複数の凹部１３４ｅ、凹部１３４ｆを形成する。なお、凹部１３４ｅは傾斜を付けて形成する。また、この傾斜は上下の稜線で逆とする。以上のように構成してなる主体１３４ｄの外周、即ち、各支持板１３４ａ、１３４ｂの稜線部分において、該稜線上に形成した凹部１３４ｅに嵌合させて数本のコイル状電熱線１３４ｇを交互に、且つ各支持体１３４ａ，１３４ｂの一側から他側に向かって螺旋状となるように捲回する。なお、支持体１３４ｂは２枚のマイカ板からなり、温度ヒューズ１３４は2枚のマイカ板に収納用切込を設けその部分に挟み込み、２枚のマイカ板間で、リード線取出部１３４ｉと電熱線１３４ｇ、電熱線１３４ｇと温度ヒューズ１３４ｈ、温度ヒューズ１３４ｈとリード線取出部１３４ｊとを夫々結線接続し、結線された乾燥ヒータ１３４を乾燥ヒータ収納箱１３５内に収納しユニット化する。なお、支持体１３４ａに設けた３個所の取付部１３４ｋは収納箱に設けたスリット１３５ａから外側へ突出させる。ところで、従来は支持板１３４ｂ上に温度ヒューズ１３４ｈが設置され、また、結線も支持板１３４ｂ上で行われていたのだが、2枚のマイカ板の間で結線を行うようにしたので、乾燥用ヒータ１３４を従来よりも薄くすることが可能である。また、凹部１３４ｅを傾斜して設けたので、コイル場電熱線１３４ｇ捲回時、外れにくくすることができ、作業性が向上する。
乾燥用ファン１３７は中央にモータ（図示無）を一体化しており、その下部を吸込口（図示無）とし、周囲の一端を吐出口１３７ａとする。また、乾燥用ファン１３７の周囲に２個所の取付部１３７ｂ、１３７ｃを設ける。なお、この乾燥用ファン１３７は脱臭用ファン１４５と兼用する。